(57)【要約】【課題】プランタの底壁に孔を開ける必要がなく、プランタの大きさが変っても使用することができ、プランタに立てた支柱を簡単に支持することができるプランタの支柱支持具および栽培装置を提供する。【解決手段】左右の縦材およびそれらの上端近辺の屈曲部からなる逆Ｕ字状のひも掛け部１１と、そのひも掛け部の両方の下端からそれぞれ前向き、かつ、上向きに折り曲げられた、前記ひも掛け部との間にプランタ１４のフランジ１６を弾力的に挟着する挟着部１２とを備えている、金属線材を折り曲げ加工して構成される支柱支持具１０。プランタ１４のフランジ１６に数個の支柱支持具１０を取り付け、プランタ１４に入れた用土１９に立てた支柱１９と支柱支持具１０とをひも１８で連結した栽培装置２１。【選択図】図６
2011030498.tif 000002
【特許請求の範囲】
【請求項１】
左右の縦材およびそれらの上端近辺の屈曲部からなるひも掛け部と、
そのひも掛け部の両方の下端からそれぞれ前向き、かつ上向きに延びる、前記ひも掛け部との間にプランタの下向きのフランジを弾力的に挟着する挟着部
とを備えている、プランタの支柱支持具。
【請求項２】
前記挟着部の上端近辺が、ひも掛け部から離れるように折り曲げられている請求項１記載のプランタの支柱支持具。
【請求項３】
金属線材を湾曲ないし折り曲げ加工して構成される請求項１または２記載のプランタの支柱支持具。
【請求項４】
前記ひも掛け部が上端で左右がつながった逆Ｕ字状を呈している請求項１、２または３記載のプランタの支柱支持具。
【請求項５】
前記挟着部の上端が左右でつながっている請求項１、２または３記載のプランタの支柱支持具。
【請求項６】
上端の周囲が下向きに曲がったフランジとされているプランタと、そのプランタに入れられた用土と、その用土に立てられる支柱と、前記プランタのフランジに取り付けられる請求項１〜５のいずれかに記載の支柱支持具と、その支柱支持具と前記支柱との間に掛けられるひもとからなる栽培装置。
【発明の詳細な説明】
【技術分野】
【０００１】
本発明はプランタの支柱支持具に関する。さらに詳しくは、プランタに植えた植物を支える支柱を倒れないようにプランタに固定するために用いる支柱支持具およびそれを用いた栽培装置に関する。
【背景技術】
【０００２】
プランタに支柱を固定または支持する器具としては、特許文献１〜３に開示されているものが知られている。特許文献１は、支柱を立てる筒状の中空部と、その中空部を立てる脚部とを備えた支柱固定器を開示している。この支柱固定器は、プランタの底壁に孔をあけ、その孔に下から中空部を通して用いる。特許文献２は、特許文献１の支柱固定器とほぼ同様の支柱立て装置であって、プランタの底壁に形成した孔から水や土が漏れないように工夫したものを提案している。
【０００３】
特許文献３には、それぞれＸ字状または三角形状の支持フレームを一対と、それらの支持フレームの下部に固定した矩形状の枠体と、支持フレームの上端同士を連結する横杆とからなるプランタ支持台が開示されている。このプランタ支持台は、枠体をプランタの周囲に嵌合させてプランタに固定し、プランタ内の用土に立てた支柱の上部を針金などで横杆に縛り付けて固定して用いる。
【０００４】
特許文献４には、プランタの対向する上開口縁の間に架設体を掛け渡し、その架設体によってプランタの用土に立てた支柱の上部を保持させる技術が開示されている。架設体には多数の孔を形成し、それらの孔に支柱を通して支柱を保持する。
【０００５】
特許文献５には、プランタに植える植物を支持する支柱ではなく、プランタを覆うビニールシートを支持する支柱（骨組）を支持するものであるが、プランタの開口縁部に弾力的に取り付ける支柱支持具が開示されている。この支柱支持具は、地面に突き刺しやすい形状（移植ごて状）の本体と、その本体の上端から鉤状に延びる引っ掛け部と、引っ掛け部に取り付けた有底筒状の支柱保持部とからなる。この支柱支持具は、本体をプランタの四隅の内側に沿わせながら用土内に差し込み、引っ掛け部（湾曲部）をプランタの上縁に弾力的に挟持させてプランタに固定する。そして対角の支柱支持具の支柱保持部に支柱の端部を差し込み、アーチ状に撓ませて支持させる。そしてアーチ状に撓ませた２本の支柱でビニールシートを被せる。
【先行技術文献】
【特許文献】
【０００６】
【特許文献１】特開平７−３２７５１３号公報
【特許文献２】特開２００３−９２９３０号公報
【特許文献３】特開平９−１０３３５１号公報
【特許文献４】特開２００７−１５１４０２号公報
【特許文献５】特開平９−１８７１７３号公報
【発明の概要】
【発明が解決しようとする課題】
【０００７】
特許文献１の支柱固定器や特許文献２の支柱立て装置は、プランタの底壁に孔をあけて用いるので、同じプランタを他の植物の栽培に使用するときに、使いにくい。特許文献３のプランタ支持台は、プランタに孔をあけずに使用することができるが、かなり大がかりな設備となり、大きさが異なるプランタには使えない。特許文献４の架設体は支柱をしっかりと保持することができ、プランタ自体を補強することもできる。しかしこのものもプランタの大きさが変るとそれに応じて適切な長さの架設体を用意する必要がある。特許文献５の支柱支持具は、プランタの開口縁部に弾力的に取り付けることができるので、プランタの大きさが変っても使用できる。しかしプランタの中央部に立てた支柱を簡単に支えることができない。
【０００８】
本発明はプランタの底壁に孔を開ける必要がなく、また、プランタの大きさが変っても使用することができ、プランタの周辺部および中央近辺に立てた支柱を簡単に支持することができるプランタの支柱支持具を提供することを技術課題としている。さらに本発明は、支柱を簡単に支持することができる栽培装置を提供することを技術課題としている。
【課題を解決するための手段】
【０００９】
本発明のプランタの支柱支持具（請求項１）は、左右の縦材およびそれらの上端近辺の屈曲部からなるひも掛け部と、そのひも掛け部の両方の下端からそれぞれ前向き、かつ上向きに延びる、前記ひも掛け部との間にプランタの下向きのフランジを弾力的に挟着する挟着部とを備えていることを特徴としている。このようなプランタの支柱支持具は、前記挟着部の上端近辺が、ひも掛け部から離れるように折り曲げられているものが好ましい（請求項２）。いずれの場合でも、金属線材を湾曲ないし折り曲げ加工して構成されるものが好ましい（請求項３）。
【００１０】
前記いずれの支柱支持具においても、前記ひも掛け部が上端で左右がつながった逆Ｕ字状を呈するものとすることができる（請求項４）。また、前記挟着部の上端が左右でつながっているものとすることもできる（請求項５）。
【００１１】
本発明の栽培装置（請求項６）は、上端の周囲が下向きに曲がったフランジとされているプランタと、そのプランタに入れられた用土と、その用土に立てられる支柱と、前記プランタのフランジに取り付けられる前記いずれかの支柱支持具と、その支柱支持具と前記支柱との間に掛けられるひもとからなることを特徴としている。
【発明の効果】
【００１２】
本発明のプランタの支柱支持具（請求項１）は、プランタの上端周縁から湾曲して下向きに伸びているフランジの内面に挟着部を挿入し、挟着部とひも掛け部とでフランジを挟着させることにより、プランタに取り付ける。そしてひも掛け部にひもを通し、そのひもでプランタ内の用土に立てた支柱を引っ張るようにして固定する。なお、１本の支柱を、互いに逆方向に引っ張るひもと支柱支持具で支えると、一層安定して固定することができる。また、複数の支柱にひもをかけて互いに引っ張らせ、それぞれの支柱を支柱支持具とひもによって外向きに引っ張ることにより、プランタに固定することもできる。プランタが軽い場合は、複数個の支柱支持具をプランタに取り付け、支柱支持具のひも掛け部にひもを掛け、プランタを吊ることもできる。
【００１３】
前記挟着部の上端近辺がひも掛け部から離れるように折り曲げられている場合（請求項２）は、挟着部をプランタの下向きのフランジに引っ掛けて、そのまま上向きに引き上げるだけで、支柱支持具をプランタのフランジに取り付けることができる。前記いずれの場合でも、金属線材を湾曲ないし折り曲げ加工して構成したもの（請求項３）は、シンプルで製造が容易である。ひも掛け部が上端で左右がつながった逆Ｕ字状を呈している場合（請求項４）は、ひも掛け部の中にひもを通して結びつけることにより、ひもをしっかりと固定することができる。また、挟着部の上端が左右でつながっているもの（請求項５）は、プランタのフランジにしっかりと取り付けることができる。
【００１４】
本発明の植物栽培装置（請求項６）は、前述の支柱支持具を備えているので、簡単な作業で支柱をしっかりと支持することができる。
つぎに図面を参照しながら本発明のプランタの支柱支持具の実施形態を説明する。
【図面の簡単な説明】
【００１５】
【図１】本発明のプランタの支柱支持具の一実施形態を示す斜視図である。
【図２】図１の支柱支持具の正面図である。
【図３】図１の支柱支持具の側面図である。
【図４】図１の支柱支持具のプランタへの取り付け方法を示す断面図である。
【図５】図１の支柱支持具の使用状態を示す斜視図である。
【図６】図１の支柱支持具を用いた本発明の栽培装置の一実施形態を示す斜視図である。
【図７】本発明の支柱支持具の他の実施形態を示す斜視図である。
【発明を実施するための形態】
【００１６】
図１に示す支柱支持具１０は、逆Ｕ字状のひも掛け部１１と、そのひも掛け部の左右の下端から前方に湾曲し、さらに上向きに延びる左右一対の挟着部１２とを備えている。この支柱支持具１０は、たとえばステンレス鋼などの弾力性および耐候性を有する金属の線材を折り曲げ加工することにより、製造することができる。ステンレス鋼などの弾力性および耐候性を有する金属の板材を切断し、湾曲することによっても製造することができる。
【００１７】
図２に示すように、支柱支持具１０のひも掛け部１１は、左右の縦材１１ａとそれらの上端同士を連結するほぼ半円状に湾曲した屈曲部１１ｂとからなる。左右の縦材１１ｂ同士の間隔は下に向かってわずかに拡がっている。ただし平行であってもよい。図３に示すように、挟着部１２の下部１２ａは、ひも掛け部１１が構成する面Ｐ１に対して湾曲しながら略直角に立ち上がっている。そして上にいくにしたがってひも掛け部との隙間が次第に狭くなっている。さらに上端近辺１２ｂではひも掛け部１１から離れる向きに屈曲している。なお、図２に示すように、挟着部１２はひも掛け部１１に沿って延びている。そのため、プランタのフランジを挟着部１２とひも掛け部１１でしっかりと挟むことができる。
【００１８】
上記のように構成される支柱支持具１０をプランタに取り付けるには、図４に示すように、プランタ１４の上端開口部１５から外向き、かつ、下向きに湾曲するフランジ１６の下側に支柱支持具１０を配置し、その状態から挟着部１２をフランジ１６の内側に滑らせるようにして上向きに引き上げる。それにより、挟着部１２とひも掛け部１１とでフランジ１６を弾力的に挟み込み、脱落しないように取り付けることができる。その場合、挟着部１２の上端近辺１２ｂがひも掛け部１１から離れる向きに屈曲しているので、挟着部１２の上端をフランジ１６の内側に滑らせるのが容易であり、支柱支持具１０を引き上げていくだけで挟着させることができる。フランジ１６に補強用のリブ１７が設けられている場合は、支柱支持具１０はリブ１７を避けて、あるいは跨ぐように取り付ける。
【００１９】
プランタ１４に取り付けた支柱支持具１０を用いて支柱を支持するには、たとえば図５に示すように、まず支柱支持具１０のひも掛け部１１の内部に外側からループ状にしたひも１８を通す。そしてそのひも１８のループ内に支柱１９を通し、支柱１９の下端を用土２０に差し込む。あらかじめ用土２０に差し込んでいる支柱１９にひも１８を掛けるようにしてもよい。ひも１８は弛まないように充分に引っ張ってからひも掛け部１１の外側に回し、その内側で互いに結んだり、あるいは他の支柱に掛け回して結んだりすることにより、支柱支持具１０と支柱１９とをひも１８で締結する。
【００２０】
通常は図６に示すように、１個のプランタ１４には複数本の支柱１９を立てる。そしてプランタ１４のフランジ１６には、多数の支柱支持具１０を取り付けて、それぞれ近くの支柱１９とひも１８で連結し、プランタ１４の外周縁の側に引き寄せる。さらに複数の支柱１９に対し、支柱同士を互いに引き寄せるように他のひも２１を掛け回し、支柱１８を反対側に引っ張るようにする。それにより、内向きの引き力と外向きの引き力とが釣り合って、支柱１８が安定して支持される。なお、１本のひもを掛け回して複数本の支柱１８を内向きおよび外向きに引っ張るようにすることもできる。
【００２１】
周囲に他の支柱がない場合は、複数個の支柱支持具１０をプランタ１４のフランジ１６の対向する２〜４個所に取り付け、それらの支柱支持具１０に掛け回した１本あるいは複数本のひも１８で支柱１９を引っ張り、固定すればよい。図６のプランタ１４、その中に入れられた用土２０、その用土に差し込んだ支柱１９、ひも１８および複数個の支柱支持具１０は、全体として本発明の栽培装置の実施形態である。
【００２２】
上記の支柱１９としては、金属棒の周囲に合成樹脂被覆を設けた市販品や、竹などの木製の棒や金属製の棒など、従来公知のものを用いることができる。プランタ１４としては、合成樹脂製の市販品などを用いることができる。ひも１８は耐水性、耐久性が高いものであれば、荷造り用のひもなど、公知のひもを用いることができる。ゴムひもあるいは針金を採用してもよい。プランタ１４や用土が軽い場合は、丈夫なひもを支柱支持具１０に通し、プランタ全体を吊すこともできる。
【００２３】
図１の支柱支持具１０では、左右の挟着部１２が離れており、ひも掛け部１１の上端が連続している。しかし本発明の支柱支持具はこれに限定されるものではなく、たとえば図７に示す支柱支持具２２のように、左右の挟着部１２同士を渡し部２３で連続させ、ひも掛け部１１の上端が左右で分離しているものであってもよい。
【００２４】
図７の支柱支持具２２では、ひも掛け部１１の上端をそれぞれ外向きに折り曲げて引っ掛け部２４としている。しかし想像線２５で示すように、互いに向き合うように内向きに折り曲げた引っ掛け部とすることもできる。
【符号の説明】
【００２５】
１０  支柱支持具
１１  ひも掛け部
１１ａ  縦材
１１ｂ  屈曲部
１２  挟着部
１２ａ  下部
１２ｂ  上端近辺
１４  プランタ
１５  上端開口部
１６  フランジ
１７  リブ
１８  ひも
１９  支柱
２０  用土
２１  他のひも
２２  支柱支持具
２３  渡し部
２４、２５  引っ掛け部
【図１】
2011030498.tif 000003
【図２】
2011030498.tif 000004
【図３】
2011030498.tif 000005
【図４】
2011030498.tif 000006
【図５】
2011030498.tif 000007
【図６】
2011030498.tif 000008
【図７】
2011030498.tif 000009